Podtech/llm-jp-corpus-v4-ja_patent huggingface dataset:
【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】  分子複合体を含有する、細胞内病原体に関連する疾病を有する被験者を治療するための組成物であって、前記分子複合体が、
(a)  光増感剤、および
(b)  該複合体を前記細胞内病原体または感染した宿主細胞に標的付ける標的付け部位、を含むことを特徴とする組成物。
【請求項２】  (1)抗生物質と（2）分子複合体とを含有する、細胞内病原体に関連する疾病を有する被験者を治療するための組成物であって、前記分子複合体が、
(a)  光増感剤、および
(b)  該複合体を前記細胞内病原体または感染した宿主細胞に標的付ける標的付け部位、を含むことを特徴とする組成物。
【請求項３】  前記抗生物質が投与される前に、前記分子複合体が投与されることを特徴とする請求項２記載の組成物。
【請求項４】  前記細胞内病原体が細菌細胞であることを特徴とする請求項１から３いずれか１項記載の組成物。
【請求項５】  前記細菌細胞がミコバクテリウムであることを特徴とする請求項４記載の組成物。
【請求項６】  前記ミコバクテリウムがヒト型結核菌であることを特徴とする請求項５記載の組成物。
【請求項７】  前記細胞内病原体が食細胞内にあることを特徴とする請求項１から３いずれか１項記載の組成物。
【請求項８】  前記食細胞がマクロファージであることを特徴とする請求項７記載の組成物。
【請求項９】  前記細胞内病原体が、被験者の細胞の液胞、小胞、または細胞器官内にあることを特徴とする請求項１から３いずれか１項記載の組成物。
【請求項１０】  前記疾病が活性疾病であることを特徴とする請求項１から３いずれか１項記載の組成物。
【請求項１１】  前記疾病が潜在性疾病であることを特徴とする請求項１から３いずれか１項記載の組成物。
【請求項１２】  前記疾病が、結核症、らい病、鳥型結核菌に関連するエイズ患者におけるＭＡＩ複合体感染、リーシュマニア症およびトキソプラズマ症からなる群より選択される病気であることを特徴とする請求項１から３いずれか１項記載の組成物。
【請求項１３】  前記分子複合体が静脈内投与により前記被験者に投与されることを特徴とする請求項１から３いずれか１項記載の組成物。
【請求項１４】  前記分子複合体が非経口投与により前記被験者に投与されることを特徴とする請求項１から３いずれか１項記載の組成物。
【請求項１５】  前記非経口投与が局所投与であることを特徴とする請求項１４記載の組成物。
【請求項１６】  前記光増感剤がポルフィリンまたはその活性誘導体であることを特徴とする請求項１から３いずれか１項記載の組成物。
【請求項１７】  前記ポルフィリンがクロリンｅ６であることを特徴とする請求項１６記載の組成物。
【請求項１８】  前記標的付け部位が、マクロファージを直接標的にすることを特徴とする請求項１から３いずれか１項記載の組成物。
【請求項１９】  前記標的付け部位が、補体受容体、スカベンジャー受容体、トランスフェリン受容体、Ｆｃ受容体、マンノース受容体、もしくはトールまたはトール様受容体であることを特徴とする請求項１８記載の組成物。
【請求項２０】  前記標的付け部位が血清アルブミンであることを特徴とする請求項１から３いずれか１項記載の組成物。
【請求項２１】  前記標的付け部位が、低密度リポタンパク質、超低密度リポタンパク質、マンノース残基、ポリ−Ｌ−リシン、アルブミン、またはリポソームであることを特徴とする請求項１から３いずれか１項記載の組成物。
【請求項２２】  前記分子複合体が前記被験者に少なくとも２回投与されることを特徴とする請求項１から３いずれか１項記載の組成物。
【請求項２３】  分子複合体であって、
(a)  光増感剤、および
(b)  該複合体を細胞内病原体または感染した宿主細胞に標的付ける標的付け部位、を含むことを特徴とする分子複合体。
【請求項２４】  細菌細胞を殺すための組成物であって、ｐｌ−ｃｅ６またはＢＰＤを含有することを特徴とする組成物。
【請求項２５】  ｐｌ−ｃｅ６またはＢＰＤを細菌細胞に接触させた後、該細菌細胞に照射が施されることを特徴とする請求項２４記載の組成物。
【請求項２６】  前記細菌細胞がミコバクテリア細胞であることを特徴とする請求項２４記載の組成物。
【請求項２７】  分子複合体を含有する、ミコバクテリア細胞を殺すための組成物であって、前記分子複合体が照射によって細胞障害効果をもたらす光増感剤を含むことを特徴とする組成物。
【請求項２８】  ミコバクテリア細胞を生体外で殺す方法であって、
(a)  前記細胞に、光増感剤を含む分子複合体を生体外で接触させ、さらに
(b)  前記光増感剤に細胞障害効果を生じさせる波長を有する照射を前記細胞に施す、工程を含むことを特徴とする方法。
【請求項２９】  前記分子複合体が、該複合体を病原菌に標的付ける標的付け部位を含むことを特徴とする請求項２８記載の方法。
【請求項３０】  前記光増感剤がポルフィリンまたはその活性誘導体であることを特徴とする請求項２８記載の方法。
【手続補正書】
【提出日】平成19年1月16日(2007.1.16)
【手続補正１】
【補正対象書類名】明細書
【補正対象項目名】特許請求の範囲
【補正方法】変更
【補正の内容】
【特許請求の範囲】
【請求項１】  ヘモグロビンを、容器内で赤血球を含む溶液から単離するための方法であって、該方法は、以下の工程：
（ａ）該溶液から該赤血球を分離する工程；
（ｂ）洗浄溶液中で該赤血球を洗浄する工程；
（ｃ）該赤血球を溶解してストロマ及びイオン強度を有するヘモグロビンを含む溶血産物を作製する工程、前記溶解工程は低張溶液に該赤血球を曝すことにより形成される溶血産物のイオン強度を測定することを更に含む；および
（ｄ）該ストロマから該溶血産物を分離する工程、を包含し、工程（ｃ）及び（ｄ）を同時に実行するか、または溶血産物のイオン強度が所定のレベル未満になるまで順次繰り返す、方法。
【請求項２】  前記洗浄溶液が、更に通常の生理食塩水溶液を含む、請求項１に記載の方法。
【請求項３】  前記洗浄溶液が、更に細菌を殺傷するための因子を含む、請求項１に記載の方法。
【請求項４】  前記洗浄溶液が、更に有機物を除去または不活化するための因子を含む、請求項１に記載の方法。
【請求項５】  前記工程（ａ）〜（ｄ）が、単一の処理容器内において実施される、請求項１に記載の方法。
【請求項６】  細胞処理装置内において実施される、赤血球および血漿を含む溶液からヘモグロビンを単離するための方法であって、該方法は、以下の工程： 処理バッグおよびチューブハーネスを備える滅菌処理セットにおいて該溶液を収集する工程であって、該処理バッグは、該細胞処理装置における遠心分離器内に配置される、工程；
該遠心分離器内の該処理バッグを回転させることによって、該赤血球を該血漿から分離する工程；
該処理バッグから該血漿を圧搾する工程；
該処理バッグへ洗浄溶液を導入して、該赤血球を洗浄する工程；
洗浄後に上清を圧搾する工程；
該赤血球を溶解してストロマとイオン強度を有するヘモグロビンを含む溶血産物を生産する工程であって、前記溶解工程は低張溶液に該赤血球を曝すことを更に含む工程；
該遠心分離器において該処理バッグを回転させることによって、該ストロマから該溶血産物を分離する工程；ならびに 該処理バッグにおける滅菌ポートを通じて該溶血産物を取り出す工程、を包含する、方法。
【請求項７】  前記ストロマを前記溶血産物から分離する工程が、以下： 前記低張溶液が、前記赤血球に最初に接触するときに生成される溶血産物を取り出すこと；および 該溶血産物のイオン濃度が減少するにつれて生成されるさらなる溶血産物を連続的に取り出すこと、を包含する、請求項６に記載の方法。
【請求項８】  さらに、 前記溶血産物のイオン強度を測定する工程；
さらなる低張溶液を添加する工程；および前記のさらなる低張溶液を添加し及び低張溶液を取り出す工程を同時に行う、または該イオン強度が所定のレベル未満になるまで反復する工程、を包含する、請求項７に記載の方法。
【請求項９】  細胞処理装置において処理容器内の赤血球を含む溶液からヘモグロビンを単離する方法であって、該方法は、以下の工程： 生理食塩水溶液を用いて、該処理容器における該赤血球を洗浄する工程；
該処理容器内の該赤血球を溶解して、ストロマ及びイオン強度を有するヘモグロビンを含む溶血産物を生産する工程であって、該溶解工程は低張溶液に赤血球を曝すことにより形成される溶血産物のイオン強度を測定することを更に含む工程；
該処理容器内のストロマ及び赤血球から、溶血産物を分離する工程；ならびに該処理容器から溶血産物を抽出する工程であって、前記溶解工程と分離工程を同時に実行するか、または溶血産物のイオン強度が所定のレベル未満になるまで順次繰り返す工程、を包含する、方法。
【請求項１０】  前記分離する工程が、前記装置内で前記処理容器を遠心分離して、前記ストロマ及び赤血球を充填することを包含する、請求項９に記載の方法。
【請求項１１】  前記洗浄する工程が、前記生理食塩水溶液に、更に界面活性剤、抗菌因子または抗ウイルス因子を添加することを包含する、請求項９に記載の方法。
【請求項１２】  改変されたヘモグロビン溶液を調製するための方法であって、該方法は以下の工程： 生理食塩水溶液と赤血球を混合する工程；
該赤血球を溶解してストロマとイオン強度を有するヘモグロビンを含む溶血産物を生産する工程であって、前記溶解工程は低張溶液に赤血球を曝すことを更に含む工程；
該ストロマから該溶血産物を分離する工程；
該溶血産物を、該ヘモグロビンを化学的に改変するために適用される因子と混合し、化学的に改変したヘモグロビン溶液を形成する工程；を包含する、方法。
【請求項１３】  前記因子が活性化ポリエチレングリコール含む、請求項１２に記載の方法。
【請求項１４】  さらに、前記化学的に改変したヘモグロビン溶液を濾過する工程を包含する、請求項１２に記載の方法。
【請求項１５】  さらに、前記化学的に改変したヘモグロビン溶液を滅菌する工程を包含する、請求項１２に記載の方法。
【手続補正書】
【提出日】平成19年1月11日(2007.1.11)
【手続補正１】
【補正対象書類名】明細書
【補正対象項目名】０００１
【補正方法】変更
【補正の内容】
【０００１】
本発明は画像化に関するものであり、特に、それぞれの点像分布関数または線像分布関数のプロフィルを導出するために１箇所以上のスキャン済物体不連続部の各々の画像領域において画像エッジ応答関数に対して逆畳み込み処理が実行され、かつ前記導出されたプロフィルの全幅半値が特定される種類の画像強化のための方法及びシステムに関するものである。
【手続補正２】
【補正対象書類名】明細書
【補正対象項目名】０００３
【補正方法】変更
【補正の内容】
【０００３】
線形加速装置によって生成される画像における検出器サイズ効果（detector-size effect）を補正する際に使用するための上述の種類の画像化方法及びシステムは、「放射線検出器線像分布関数を回復する際の逆畳み込み及び全最小二乗（total least squares）の使用」（Ｍｅｄｉｃａｌ  Ｐｈｙｓｉｃｓ  ＵＳ、Ａｍｅｒｉｃａｎ  Ｉｎｓｔｉｔｕｔｅ  ｏｆ  Ｐｈｙｓｉｃｓ  Ｎｅｗ  Ｙｏｒｋ、第２５巻、Ｎｏ．２、１９９８年２月（１９９８−２）、１５２−１６０ページ，ＸＰ０００８３３８２１、ＩＳＳＮ：００９４−２４０５）と題するＣｈａｒｌａｎｄ  Ｐ．他による論文により既知である。ここで、逆畳み込み処理は、加速装置のデンシトメーター放射線検出器の線像分布関数（ＬＳＦ）を導出するために画像プロフィルに応用される。このプロフィルの全幅半値（ＦＷＨＭ）が測定されて、生成された画像の空間分解能の強化において検出器サイズ補正のためにこの測定値及び導出された関数が使用されるが、この方法は、その実用的応用において限界があり、特にマトリクス形式のデジタル表示が使用される場合に限界がある。
画像化システムの線像分布関数（ＬＳＦ）を考慮に入れる別の画像化方法が、「脈管追跡及び反復的逆畳み込み法を用いる血管心臓映写による心臓疾患の自動分析」（心臓学におけるコンピュータの進展に関する会議、ワシントン、ＵＳ、ＩＥＥＥコンピュータ学会出版物、１９８９年１０月１６日会議（１９８９−１０）、１５３−１５６ページ、ＸＰ０００１４７０３３、ＩＳＢＮ：０−８１８６−２１１４−１）と題するＡｌｐｅｒｉｎ  Ｎ．他の論文において説明されている。しかし、この方法においては、空間分解能の強化のためでなく、血管サイズを決定するために逆畳み込みが使用されている。血管の画像プロフィルは、最良の適合が得られるまで、変動するサイズの円筒で画像化システムの線像分布関数（ＬＳＦ）を畳み込むことによって生成される理論上のプロフィルと比較される。
【手続補正３】
【補正対象書類名】明細書
【補正対象項目名】０００４
【補正方法】変更
【補正の内容】
【０００４】
上述の種類の、改良された形態の画像化方法及びシステムを提供することが、本発明の目的である。
本発明の１つの態様に従えば、上述の種類の画像化方法は、逆畳み込み処理が画像エッジ応答関数のサブピクセルサンプリングによって実行され、導出されたプロフィルがそれぞれのエッジ応答関数の画像領域プロフィルと相関され、それぞれの不連続部の画像領域における位置が導出された線像分布関数の全幅半値の中央点から決定され、かつ不連続部における画像エッジの空間分解能を強化するためにエッジ応答関数の画像領域プロフィル内のサブピクセルが前記位置の一方の側から他方の側へと移動されること、を特徴とする。
本発明の別の態様に従えば、上述の種類の画像化システムは、システムが画像エッジ応答関数のサブピクセルサンプリングによって逆畳み込み処理を実行するため、及び導出されたプロフィルをそれぞれのエッジ応答関数の画像領域プロフィルと相関させるための手段を含み、それぞれの不連続部の画像領域における位置が導出された線像分布関数の全幅半値の中央点から決定され、かつ不連続部における画像エッジの空間分解能を強化するためにエッジ応答関数の画像領域プロフィル内のサブピクセルを前記位置の一方の側から他方の側へと移動させるための手段をも含むこと、を特徴とする。
【手続補正４】
【補正対象書類名】明細書
【補正対象項目名】０００５
【補正方法】変更
【補正の内容】
【０００５】
本発明の方法及びシステムによれば、画像領域における不連続部の位置がそれぞれの点像分布関数または線像分布関数の画像領域プロフィルから直接決定されるという利点がある。このことは、画像化システム自体の点像分布関数または線像分布関数のみでなく、コントラストレベル及びパーシャルボリューム効果、及び画像エッジ応答関数に生じるランダムノイズ並びにオーバーシュート（例えば、フィルタリングによるもの）をも考慮に入れる正確性を有する。それぞれの不連続部の導出された位置の一方の側から他方の側へのサブピクセルの移動は、不連続部における画像エッジの空間分解能を正確に強化するための経験的方法をもたらす。このようにして、本発明の方法及びシステムは、他の特性を見返りに失うことなく画像化における空間分解能のロスを回復できるようにし、特にその結果得られる画像のノイズを増大することなくこれを達成できる。不連続部における元々の高分解能「ステップ関数」特性は、ノイズの増大なしに事実上回復され、ノイズの増大がないということは、実質的スミアのない正確な画像定義を与えるために非常に重要である。
本発明の方法及びシステムの逆畳み込み処理は最小二乗実行フィルタリングを用いて実行され、画像領域におけるスプリアスのエッジを取り除くために低コントラストフィルタリングを使用することができる。
スキャン対象の物体のエッジ輪郭は、スキャンされた複数の物体不連続部の画像のエッジ画像定義を強化することによって画像領域において定義することができる。エッジ輪郭内の物体-画像の面積及び／または体積及び／または強度を決定することができる。
【手続補正５】
【補正対象書類名】明細書
【補正対象項目名】０００６
【補正方法】変更
【補正の内容】
【０００６】
以下においては添付図面を参照し、本発明に係る画像化方法およびシステムを例示的に記述する。
図１に関して記述される方法およびシステムは医療診断および治療計画を目的としてMRスキャンを利用する。基本的に、記述された総括的技術において本発明の方法およびシステムは、MRスキャンの他の用途において且つ他のスキャン技術が利用される状況においても使用され得る。さらに、構造および機能はいずれも図１における個別の‘ブロック’１〜１９により表されるが、上記方法およびシステムはプログラムされたデジタル・データ処理操作において相当の程度まで明らかである。
【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】  ＨＩＶの機能活性を低下させ、遅延させ、さもなければ、阻害する方法であって、ＨＩＶは哺乳類宿主細胞を感染させており、該宿主細胞の膜イオンチャネル機能活性をダウンレギュレートするのに充分な時間および条件下、該哺乳類に有効量の剤を投与し、ここに、哺乳類にヒトが含まれないことを特徴とする該方法。
【請求項２】  該膜イオンチャネルがＶｐｕイオンチャネルである請求項１記載の方法。
【請求項３】  該ＨＩＶ機能活性がＨＩＶ複製である請求項１記載の方法。
【請求項４】  該宿主細胞がマクロファージである請求項３記載の方法。
【請求項５】  該宿主細胞が単球である請求項３記載の方法。
【請求項６】  該剤がアミロライド・アナログまたはその機能相当物である請求項１ないし５いずれか１記載の方法。
【請求項７】  該アミロライド・アナログがピラジン環またはその機能相当物の５位にてアミノ基の置換を含む請求項６記載の方法。
【請求項８】  該アミロライド・アナログがＨＭＡまたはその機能相当物である請求項７記載の方法。
【請求項９】  該ＨＭＡが構造：
【化１】
2002527397.tif 000001
を含む請求項８記載の方法。
【請求項１０】  該アミロライド・アナログがＤＭＡまたはその機能相当物である請求項７記載の方法。
【請求項１１】  該ＤＭＡが構造：
【化２】
2002527397.tif 000002
を含む請求項１０記載の方法。
【請求項１２】  哺乳類におけるＨＩＶ感染またはＡＩＤＳを治療および／または予防する方法であって、該方法は、ＨＩＶ感染した哺乳類宿主細胞のＶｐｕイオンチャネル機能活性をダウンレギュレートするのに充分な時間および条件下、該哺乳類に有効量の剤を投与し、ここに、該Ｖｐｕ機能活性が該ＨＩＶの機能活性を低下させ、遅延させ、さもなければ、阻害し、ここに、哺乳類にヒトが含まれないことを特徴とする該方法。
【請求項１３】  該ＨＩＶ機能活性がＨＩＶ複製である請求項１２記載の方法。
【請求項１４】  該宿主細胞がマクロファージである請求項１３記載の方法。
【請求項１５】  該宿主細胞が単球である請求項１３記載の方法。
【請求項１６】  該剤がアミロライド・アナログまたはその機能相当物である請求項１２ないし１５いずれか１記載の方法。
【請求項１７】  該アミロライド・アナログがピラジン環またはその機能相当物の５位にてアミノ基の置換を含む請求項１６記載の方法。
【請求項１８】  該アミロライド・アナログがＨＭＡまたはその機能相当物である請求項１７記載の方法。
【請求項１９】  該ＨＭＡが構造：
【化３】
2002527397.tif 000003
を含む請求項１８記載の方法。
【請求項２０】  該アミロライド・アナログがＤＭＡまたはその機能相当物である請求項１７記載の方法。
【請求項２１】  該ＤＮＡが構造：
【化４】
2002527397.tif 000004
を含む請求項２０記載の方法。
【請求項２２】  哺乳類におけるＨＩＶ感染および／またはＡＩＤＳの治療的および／または予防的処置用の剤であって、ＨＩＶ感染した細胞のＶｐｕイオンチャネル機能活性を低下させ、遅延させ、さもなければ、阻害することを特徴とする剤。
【請求項２３】  該機能活性がＨＩＶ複製の媒介である請求項２２記載の剤。
【請求項２４】  該剤がアミロライド・アナログまたはその機能相当物である請求項２２または２３記載の剤。
【請求項２５】  該アミロライド・アナログがピラジン環またはその機能相当物の５位にてアミノ基の置換を含む請求項２４記載の剤。
【請求項２６】  該アミロライド・アナログがＨＭＡまたはその機能相当物である請求項２５記載の剤。
【請求項２７】  該ＨＭＡが構造：
【化５】
2002527397.tif 000005
を含む請求項２６記載の剤。
【請求項２８】  該アミロライド・アナログがＤＭＡまたはその機能相当物である請求項２５記載の剤。
【請求項２９】  該ＤＭＡが構造：
【化６】
2002527397.tif 000006
を含む請求項２８記載の剤。
【請求項３０】  対象におけるＶｐｕイオンチャネル機能活性を低下させ、遅延させ、さもなければ、阻害する方法であって、Ｖｐｕイオンチャネル機能活性を阻害するのに充分な時間および条件下、該対象に有効量のアミロライド・アナログまたはその機能相当物を投与し、ここに、哺乳類にヒトが含まれないことを特徴とする該方法。
【請求項３１】  該Ｖｐｕイオンチャネル機能活性がＨＩＶ複製のＶｐｕイオンチャネル機能活性である請求項３０記載の方法。
【請求項３２】  該アミロライド・アナログがピラジン環またはその機能相当物の５位にてアミノ基の置換を含む請求項３０または３１記載の方法。
【請求項３３】  該アミロライド・アナログがＨＭＡまたはその機能相当物である請求項３２記載の方法。
【請求項３４】  該ＨＭＡが構造：
【化７】
2002527397.tif 000007
を含む請求項３３記載の方法。
【請求項３５】  該アミロライド・アナログがＤＭＡまたはその機能相当物である請求項３２記載の方法。
【請求項３６】  該ＤＭＡが構造：
【化８】
2002527397.tif 000008
を含む請求項３５記載の方法。
【請求項３７】  Ｖｐｕイオンチャネル機能活性を低下させ、遅延させ、さもなければ、阻害するのに用いる剤。
【請求項３８】  該Ｖｐｕイオンチャネル機能活性がＨＩＶ複製の媒介である請求項３７記載の剤。
【請求項３９】  該剤がアミロライド・アナログまたはその機能相当物である請求項３８記載の剤。
【請求項４０】  該アミロライド剤がＨＭＡまたはその機能相当物である請求項３９記載の剤。
【請求項４１】  該ＨＭＡが構造：
【化９】
2002527397.tif 000009
を含む請求項４０記載の剤。
【請求項４２】  該アミロライド・アナログがＤＭＡまたはその機能相当物である請求項３９記載の剤。
【請求項４３】  該ＤＭＡが構造：
【化１０】
2002527397.tif 000010
を含む請求項４２記載の剤。
【請求項４４】  Ｖｐｕイオンチャネル機能活性を低下させ、遅延させ、さもなければ、阻害するのに使用する医薬組成物であって、請求項３７ないし４３いずれか１記載の剤および１以上の医薬上許容される担体および／または希釈剤を含む該組成物。
【請求項４５】  該剤がアミロライド・アナログまたはその機能相当物である請求項４４記載の医薬組成物。
【請求項４６】  該アミロライド・アナログがＨＭＡまたはその機能相当物である請求項４５記載の医薬組成物。
【請求項４７】  該ＨＭＡが構造：
【化１１】
2002527397.tif 000011
を含む請求項４６記載の医薬組成物。
【請求項４８】  該アミロライド・アナログがＤＭＡまたはその機能相当物である請求項４５記載の医薬組成物。
【請求項４９】  該ＤＭＡが構造：
【化１２】
2002527397.tif 000012
を含む請求項４８記載の医薬組成物。
【誤訳訂正書】
【提出日】平成18年11月22日(2006.11.22)
【誤訳訂正１】
【訂正対象書類名】明細書
【訂正対象項目名】００３４
【訂正方法】変更
【訂正の内容】
【００３４】
工程Ａ：エストラジール／ＲＡＭＥＢ複合物の調製 ＲＡＭＥＢを精製水１リットルに加え、次いで全体を完全に溶解するまで攪拌した。
次に、エストラジオールをこの溶液に加え、次いで８０℃に加熱した全体を完全に溶解するまで攪拌した。
【誤訳訂正書】
【提出日】平成19年2月26日(2007.2.26)
【誤訳訂正１】
【訂正対象書類名】明細書
【訂正対象項目名】特許請求の範囲
【訂正方法】変更
【訂正の内容】
【特許請求の範囲】
【請求項１】  患者から組織を外科手術的に除去するための装置において、
基端部および先端部を有する外側チューブと、
前記外側チューブの中に配置された内側チューブとを備え、当該内側および外側のチューブがこれらの間に環状の空間部を形成しており、さらに、
前記環状の空間部の中において前記内側および外側のチューブに対して回転する切断部材を備え、当該切断部材が前記先端部の近傍において露出した切断面部を有している装置。
【請求項２】  前記切断部材がチューブを含み、前記切断面部が前記内側チューブおよび外側チューブよりも先端側に延出する環状部分を含む、請求項１に記載の装置。
【請求項３】  前記内側チューブが内孔部を形成しており、当該内孔部が先端部近傍において開口していて前記切断部材によって患者の身体から切断した組織部分を受容する請求項２に記載の装置。
【請求項４】  前記内孔部が組織部分を除去するために前記外側チューブの基端側から接近可能である請求項３に記載の装置。
【請求項５】  さらに、前記内側内孔部をシールして、組織部分を基端側に通過させるバルブを備える請求項３に記載の装置。
【請求項６】  前記内孔部が組織把持装置を受容する大きさに形成されていて、当該組織把持装置が、前記内側チューブおよび外側チューブを通って前記切断部材の先端側に延在し、当該把持装置がこれらのチューブの基端側から駆動されて切断するべき組織を把持できる請求項３に記載の装置。
【請求項７】  さらに、前記内側チューブおよび外側チューブに固定された基端側ハウジングを備える請求項１に記載の装置。
【請求項８】  さらに、前記ハウジングの中に配置された、前記切断部材を回転するための機構を備え、当該回転機構が外部駆動モーター用のカプラーを備え、前記装置が使い捨て可能である請求項７に記載の装置。
【請求項９】  患者の身体から組織を外科手術的に除去するためのシステムにおいて、
基端部および先端部を有する外側チューブと、
前記外側チューブの中に配置される内側チューブとを備え、当該内側チューブおよび外側チューブがこれらの間に環状の空間部を形成して、内側チューブが内孔部を有しており、さらに、
前記内孔部を通して延在可能で前記内側チューブおよび外側チューブの基端側から駆動可能であってこれらのチューブの先端側の目的組織を把持するための把持装置と、
前記環状の空間部の中で前記内側チューブおよび外側チューブに対して回転し、把持された組織を切断するための切断部材とを備え、当該切断部材が体内部位から目的の組織を切断するための前記先端部近傍に露出した切断面部を有しているシステム。
【請求項１０】  前記内側チューブおよび外側チューブが基端側ハウジングに固定されており、当該ハウジングが前記切断部材を回転するための機構を収容していて、当該切断部材および内側チューブおよび外側チューブが概ね剛体の管状構造を形成している請求項９に記載のシステム。
【請求項１１】  さらに、前記内孔部の基端部に近接していて前記把持装置の内孔部からの後退時に当該内孔部をシールするためのバルブを備え、当該バルブが、把持装置を先端側に通過させ、かつ、把持装置および切断した目的の組織を基端側に通過させるように構成されている請求項１０に記載のシステム。
【請求項１２】  前記内側チューブが前記外側チューブに移動可能に取り付けられて前記切断端部との不注意な接触を防止する請求項９に記載のシステム。
【請求項１３】  体内部位から目的の組織を切断するための方法において、
目的の組織を把持することと、
回転式の管状の切断部材によって把持した目的の組織を切断することと、
把持した組織を体内部位から管状の切断部材の中の内孔部を通して引き出すこととを含み、当該切断部材がその内孔部に対して回転することを特徴とする方法。
【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】
第１および第２の対向する側部の間に足の周囲に適合させるひも締め領域を備えている履物部材、
前記対向する側部に位置し、前記ひも締め領域の全域を延びる経路を定めている複数の対向するガイド部材、
第１の端部および第２の端部を有し、前記第１および第２の端部がスプールに対して取り外し可能に固定されていて交換可能であり、前記ガイド部材に案内されて前記ひも締め領域の全域に延びる靴ひも、および
前記履物部材に取り付けられているとともに、前記スプールに結合されており、前記靴ひもを前記スプールの周囲に巻き取ることにより前記靴ひもに張力を加えて前記対向する側部を相互の方向に引き寄せる制御部を備えている締め付け機構、
を備えている履物用ひも締めシステム。
【請求項２】
前記スプールを取り外すことなく前記靴ひもを当該履物用ひも締めシステムから取り外すことができるように、前記第１および第２の端部が前記スプールに取り外し可能に接続されている請求項１に記載の履物用ひも締めシステム。
【請求項３】
前記靴ひもが、複数の繊維を含んでいる請求項１または２に記載の履物用ひも締めシステム。
【請求項４】
当該履物が、つまさき部分およびくるぶし部分をさらに備えており、前記ひも締め領域が、当該履物の前記つまさき部分から当該履物の前記くるぶし部分へ、少なくとも途中まで延設されている請求項１〜３のいずれかに記載の履物用ひも締めシステム。
【請求項５】
さらに膨張を制限するための少なくとも１つのストラップを備えている請求項１〜４のいずれかに記載の履物用ひも締めシステム。
【請求項６】
前記膨張制限ストラップが、着用者の足首を囲むように当該履物に位置されている請求項５に記載の履物用ひも締めシステム。
【請求項７】
当該履物が、前記つまさき部分と前記くるぶし部分との間に位置する甲部分をさらに備えており、前記膨張制限ストラップが、前記甲部分を横切って延びるように当該履物に位置されている請求項６に記載の履物用ひも締めシステム。
【請求項８】
前記靴ひもが、交差状で前記第１および第２の側部の間を通されている請求項１〜７のいずれか一項に記載の履物用ひも締めシステム。
【請求項９】
請求項１〜８のいずれかに記載の履物用ひも締めシステムを組み込んだ活動スポーツ用ブーツ。
【請求項１０】
スノーボード用ブーツ、ローラースケート用ブーツ、またはスキー用ブーツ、などのうちの１つである、請求項９に記載の活動スポーツ用ブーツ。
【請求項１１】
履物のための閉止システムであって、前記履物はその中心線の各側に配置された外側部および内側部を備えるとともに、くるぶし部分およびつまさき部分を有する上部(アッパー)を有しており、
靴ひも、
前記上部のくるぶし部分付近に配置され、前記上部の外側部に取り付けられた外側靴ひもガイドと前記上部の内側部に取り付けられた内側靴ひもガイドとを備えている第１の靴ひもガイド対、
上部のつまさき部分付近に配置され、前記上部の外側部に取り付けられた外側靴ひもガイドと前記上部の内側部に取り付けられた内側靴ひもガイドとを備えている第２の靴ひもガイド対、および
前記履物に位置し、内側を靴ひもが前記閉止システムを引き締めるべく第１の方向にスライド可能、かつ前記閉止システムを緩めるべく第２の方向にスライド可能であり、靴ひもの前記第２の方向へのスライドを選択的に防止するように構成されているハウジング、
を備えており、
前記第１および第２の靴ひもガイド対が、靴ひもをスライド可能に受け入れるための通路を備えており、該通路が、各ガイドの長手方向の長さを定めるように離間した第１および第２の端部をさらに備えており、
前記靴ひもが、前記通路に沿ってスライド可能に延びており、
前記靴ひもによって着用者の足首へと加えられる閉じ圧力を大きくするため、前記第１の靴ひもガイド対の長手方向の長さが、前記第２の靴ひもガイド対の長手方向の長さに比べて短くされている、
履物用閉止システム。
【請求項１２】
前記第１の靴ひもガイド対の外側靴ひもガイドが、上部の外側部へと直接縫い付けられ、前記第１の靴ひもガイド対の内側靴ひもガイドが、上部の内側部へと直接縫い付けられている請求項１１に記載の履物用閉止システム。
【請求項１３】
前記履物が、つまさき部分からくるぶし部分へと延びる舌革をさらに備えている請求項１１または１２に記載の履物用閉止システム。
【請求項１４】
前記ハウジングが、前記舌革の上部に位置している請求項１３に記載の履物用閉止システム。
【請求項１５】
前記靴ひもガイド対が、囲まれた靴ひも通路を備えている請求項１１〜１４のいずれかに記載の履物用閉止システム。
【請求項１６】
少なくとも１つの前記靴ひも通路が、半円形の靴ひも通路である請求項１１〜１５のいずれかに記載の履物用閉止システム。
【請求項１７】
少なくとも１つの前記靴ひも通路が、「Ｕ」字形の靴ひも通路である請求項１１〜１６のいずれかに記載の履物用閉止システム。
【請求項１８】
ハウジングが、さらにスプールを備えている請求項１１〜１７のいずれかに記載の履物用閉止システム。
【請求項１９】
前記靴ひもが、前記スプールに取り外し可能に取り付けられている請求項１８に記載の履物用閉止システム。
【請求項２０】
前記靴ひもが、セットねじを使用して前記スプールに取り付けられている請求項１９に記載の履物用閉止システム。
【請求項２１】
前記スプールがさらに開口を備えており、前記靴ひもが該開口に通されている請求項１９に記載の履物用閉止システム。
【請求項２２】
請求項１１〜２１のいずれか一項に記載の閉止システムを取り入れた活動スポーツ用ブーツ。
【請求項２３】
前記ブーツが、スノーボード用ブーツ、ローラースケート用ブーツ、またはスキー用ブーツ、などのうちの１つである、請求項２２に記載の活動スポーツ用ブーツ。
【手続補正書】
【提出日】平成19年1月5日(2007.1.5)
【手続補正１】
【補正対象書類名】明細書
【補正対象項目名】特許請求の範囲
【補正方法】変更
【補正の内容】
【特許請求の範囲】
【請求項１】
粘度が１０００センチポイスよりも大きなメチルセルロースの圧縮混合物および食用カルシウム塩を有してなる経口投与用急速崩壊性錠剤。
【請求項２】
食用カルシウム塩が二塩基性リン酸カルシウム二水和物、リン酸カルシウム無水物、三塩基性リン酸カルシウムまたはその混合物である請求項１記載の錠剤。
【請求項３】
さらに結合剤を有してなる請求項１または２記載の錠剤。
【請求項４】
さらに崩壊剤を有してなる請求項１または２記載の錠剤。
【請求項５】
さらに湿潤剤を有してなる請求項１記載の錠剤。
【請求項６】
メチルセルロースの粘度が３０００センチポイズより大きい請求項１記載の錠剤。
【請求項７】
メチルセルロースが約４５０ないし約５５０ｍｇの量にて配合されている請求項１または２記載の錠剤。
【請求項８】
メチルセルロースが約２００ないし約３００ｍｇの量にて配合されている請求項１または２記載の錠剤。
【請求項９】
ａ）３０００ｃｐｓより大きな高粘度のメチルセルロース、湿潤剤、ポビドンまたは澱粉グリコール酸ナトリウムおよび食用カルシウム塩を一緒にブレンドし、顆粒内混合物を形成させ；
ｂ）工程（ａ）の混合物にＰＶＰ水溶液を加えるか、あるいはまた工程（ａ）の混合物にＰＶＰ水溶液を噴霧操作し、顆粒を調製し；
ｃ）食用カルシウム塩、湿潤剤、滑沢剤、ポビドンまたは澱粉グリコール酸ナトリウムまたはその混合物の顆粒外混合物を一緒にブレンドし；および
ｄ）工程（ｂ）の顆粒を工程（ｃ）の顆粒外混合物と圧縮してなる、錠剤処方の製法。
【請求項１０】
ａ）３０００ｃｐｓより大きな高粘度のメチルセルロース、湿潤剤、ポビドンまたは澱粉グリコール酸ナトリウムおよび食用カルシウム塩を有してなる顆粒を混合し；
ｂ）食用カルシウム塩、湿潤剤、滑沢剤、ポビドンまたは澱粉グリコール酸ナトリウムまたはその混合物の顆粒外混合物を一緒にブレンドし；
ｃ）工程（ｂ）の顆粒を工程（ａ）の顆粒混合物と圧縮し；および
ｄ）打錠してなる、医薬錠の製法。
【請求項１１】
メチルセルロースが唯一の有効成分である請求項１記載の錠剤。
【請求項１２】
メチルセルロースと；希釈剤と；崩壊剤と；結合剤とを含む、経口投与用急速崩壊性錠剤であって、希釈剤、崩壊剤および結合剤が別個の成分である、錠剤。
【請求項１３】
メチルセルロースの粘度が３０００センチポイズより大きい請求項１２記載の錠剤。
【請求項１４】
ヒトの便秘を処理するための医薬の製造における請求項１２に記載の錠剤の使用。
【請求項１５】
メチルセルロース（ここで、メチルセルロースが唯一の有効成分である）と；希釈剤と；崩壊剤とを含む、経口投与用急速崩壊性錠剤であって、希釈剤および崩壊剤が別個の成分である、錠剤。
【請求項１６】
メチルセルロースの粘度が３０００センチポイズより大きい請求項１５記載の錠剤。
【請求項１７】
ヒトの便秘を処理するための医薬の製造における請求項１６に記載の錠剤の使用。
【請求項１８】
約４５０ｍｇないし約５５０ｍｇの量の３０００センチポイズより大きな高粘度のメチルセルロースを、結合剤および食用カルシウム塩と混合して、顆粒を形成することを含む、医薬顆粒の製法。
【請求項１９】
哺乳動物の便秘を緩和するための医薬の製造における請求項１に記載の錠剤の使用。
【請求項２０】
哺乳動物の大便を滑らかにするための医薬の製造における請求項１に記載の錠剤の使用。
【手続補正書】
【提出日】平成19年1月5日(2007.1.5)
【手続補正１】
【補正対象書類名】明細書
【補正対象項目名】特許請求の範囲
【補正方法】変更
【補正の内容】
【特許請求の範囲】
【請求項１】
顆粒内成分および顆粒外成分を含む経口投与用急速崩壊性錠剤であって、顆粒内成分が１０００センチポイズよりも大きな粘度のメチルセルロースと、微結晶セルロース、トウモロコシ澱粉、プレゲル化澱粉およびその混合物からなる群より選択される希釈剤とを含み、顆粒内崩壊剤を含んでもよく、顆粒外成分が湿潤剤および滑沢剤を含み、顆粒外崩壊剤を含んでもよい、経口投与用急速崩壊性錠剤。
【請求項２】
メチルセルロースが３０００センチポイズより大きな粘度を有する請求項１記載の錠剤。
【請求項３】
３０００センチポイズよりも大きな粘度を有するメチルセルロースと、微結晶セルロースと、澱粉グリコール酸ナトリウムと、ポビドンとを含む顆粒内成分と、ラウリル硫酸ナトリウムおよびステアリン酸マグネシウムを含む顆粒外成分とを含む、経口投与用急速崩壊性錠剤。
【請求項４】
錠剤処方の製法であって、
ａ）３０００ｃｐｓより大きな高粘度のメチルセルロースと；微結晶セルロース、トウモロコシ澱粉、プレゲル化澱粉およびその混合物からなる群より選択される希釈剤とをブレンドし、および崩壊剤を一緒にブレンドしてもよく、顆粒内混合物を形成し；
ｂ）工程（ａ）の混合物にＰＶＰ水溶液を加えるか、あるいはまた工程（ａ）の混合物にＰＶＰ水溶液を噴霧操作し、顆粒を調製し；
ｃ）湿潤剤および滑沢剤の顆粒外混合物を一緒にブレンドし、崩壊剤または崩壊剤を含むその混合物をブレンドしてもよく；および
ｄ）工程（ｂ）の顆粒を工程（ｃ）の顆粒外混合物と圧縮してなる、方法。
【請求項５】
医薬錠剤の製法であって、
ａ）３０００ｃｐｓより大きな高粘度のメチルセルロース；微結晶セルロース、トウモロコシ澱粉、プレゲル化澱粉およびその混合物から選択される希釈剤を含み、顆粒内崩壊剤および／または湿潤剤を含んでもよい顆粒と；
ｂ）顆粒外崩壊剤および湿潤剤をブレンドし、顆粒外滑沢剤をブレンドしてもよく；
ｃ）打錠してなる、医薬錠剤の製法。
【請求項６】
１０００センチポイズよりも大きな粘度を有するメチルセルロースと；微結晶セルロース、トウモロコシ澱粉、プレゲル化澱粉およびその混合物からなる群より選択される希釈剤とを含む顆粒内成分と、湿潤剤および滑沢剤を含み、顆粒外崩壊剤を含んでいてもよい顆粒外成分の、便秘を処理するための経口投与用急速崩壊性錠剤の製造における使用。
【請求項７】
メチルセルロースが唯一の有効成分である、請求項１記載の急速崩壊性錠剤。
【請求項８】
唯一の有効成分としての粘度が３０００センチポイズよりも大きなメチルセルロース、微結晶セルロース、澱粉グリコール酸ナトリウム、ポビドンを含む顆粒内成分と、ラウリル硫酸ナトリウムおよびステアリン酸ナトリウムを含む顆粒外成分とを含む、経口投与用急速崩壊性錠剤。
【請求項９】
哺乳動物の便秘を緩和するための医薬の製造における請求項１に記載の錠剤の使用。
【請求項１０】
哺乳動物の便秘を緩和するための医薬の製造における請求項８に記載の錠剤の使用。
【請求項１１】
哺乳動物の大便を滑らかにするための医薬の製造における請求項１に記載の錠剤の使用。
【請求項１２】
哺乳動物の大便を滑らかにするための医薬の製造における請求項８に記載の錠剤の使用。
【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  ３−シクロプロピルメトキシ−４−ジフルオロメトキシ−Ｎ−（３,５−ジクロロピリド−４−イル）ベンズアミドまたはその製薬学的に認容性の塩を含有する、多発性硬化症の治療薬。
【請求項２】  ３−シクロプロピルメトキシ−４−ジフルオロメトキシ−Ｎ−（３,５−ジクロロ−１−オキシピリド−４−イル）ベンズアミドを含有する、多発性硬化症の治療薬。
【請求項３】  多発性硬化症が、挿間的に進行する多発性硬化症であることを特徴とする、請求項１または２記載の多発性硬化症の治療薬。
【請求項４】  多発性硬化症の治療薬製造における、３−シクロプロピルメトキシ−４−ジフルオロメトキシ−Ｎ−（３,５−ジクロロピリド−４−イル）ベンズアミドまたはその製薬学的に認容性の塩の使用。
【請求項５】  多発性硬化症の治療薬製造における、３−シクロプロピルメトキシ−４−ジフルオロメトキシ−Ｎ−（３,５−ジクロロ−１−オキシピリド−４−イル）ベンズアミドの使用。
【請求項６】  活性化合物として３−シクロプロピルメトキシ−４−ジフルオロメトキシ−Ｎ−（３,５−ジクロロピリド−４−イル）ベンズアミドを０.０５〜２ｍｇの範囲で有する、多発性硬化症治療のための錠剤、被覆錠剤またはカプセルを製造するための、３−シクロプロピルメトキシ−４−ジフルオロメトキシ−Ｎ−（３,５−ジクロロピリド−４−イル）ベンズアミドまたはその製薬学的に認容性の塩の使用。
【請求項７】  活性成分として３−シクロプロピルメトキシ−４−ジフルオロメトキシ−Ｎ−（３,５−ジクロロ−１−オキシピリド−４−イル）ベンズアミドを０.０５〜２ｍｇの範囲で有する、多発性硬化症治療のための錠剤、被覆錠剤またはカプセルを製造するための、３−シクロプロピルメトキシ−４−ジフルオロメトキシ−Ｎ−（３,５−ジクロロ−１−オキシピリド−４−イル）ベンズアミドの使用。
【請求項８】  錠剤、被覆錠剤またはカプセルが、０.１〜１ｍｇの活性化合物含量を有することを特徴とする、請求項６または７記載の使用。
【請求項９】  多発性硬化症が、挿間的に進行する多発性硬化症であることを特徴とする、請求項４から８までのいずれか１項記載の使用。
【請求項１０】  常用の２次包装、薬物を包む１次包装、場合により内包、多発性硬化症の症状を緩和する薬剤から成る購買入手可能な製品において、多発性硬化症治療のための薬剤の有効性を購買入手可能な製品の２次包装および／または内包に記載し、前記薬剤が３−シクロプロピルメトキシ−４−ジフルオロメトキシ−Ｎ−（３,５−ジクロロピリド−４−イル）ベンズアミド、その薬理学的に認容性の塩またはそのＮ−オキシドを含有することを特徴とする、購買入手可能な製品。
【手続補正書】
【提出日】平成19年2月9日(2007.2.9)
【手続補正１】
【補正対象書類名】明細書
【補正対象項目名】特許請求の範囲
【補正方法】変更
【補正の内容】
【特許請求の範囲】
【請求項１】  神経中毒を治療するための製剤の製造におけるキセノンまたはキセノンガス混合物の使用。
【請求項２】  神経中毒が神経伝達物質過剰により生ずることを特徴とする請求項１記載の使用。
【請求項３】  キセノンがドーパミン、グルタメートおよび／またはノルアドレナリンの放出を低減することを特徴とする請求項１または２記載の使用。
【請求項４】  神経中毒が卒中により生ずることを特徴とする請求項１〜３いずれか記載の使用。
【請求項５】  神経中毒が薬物乱用により生ずることを特徴とする請求項１〜３いずれか記載の使用。
【請求項６】  神経中毒が出産時の酸素欠乏により生ずることを特徴とする請求項１〜３いずれか記載の使用。
【請求項７】  神経中毒がパーキンソン病、精神分裂病またはジル・ド・ラ・トゥレット（Gilles de la Tourette）症候群と関連することを特徴とする請求項１〜３いずれか記載の使用。
【請求項８】  神経中毒が頭蓋脳外傷（craniocerebral trauma）により生ずることを特徴とする請求項１〜３いずれか記載の使用。
【請求項９】  キセノンまたはキセノンガス混合物が心肺バイパス装置において使用されることを特徴とする請求項１〜３いずれか記載の使用。
【請求項１０】  神経中毒が聴力の喪失を生ずることを特徴とする請求項１〜３いずれか記載の使用。
【請求項１１】  神経中毒が片頭痛により生ずることを特徴とする請求項１〜３いずれか記載の使用。
【請求項１２】  投与される治療用製剤がキセノンを５〜９０容量％含むことを特徴とする請求項１〜１０いずれか記載の使用。
【請求項１３】  製剤がキセノンを５〜３０容量％含むことを特徴とする請求項１２記載の使用。
【請求項１４】  投与される治療用製剤が酸素および／または窒素および／または空気をさらに含むことを特徴とする請求項１〜１３いずれか記載の使用。
【請求項１５】  製剤が８０対２０容量％のキセノン対酸素の比を有することを特徴とする請求項１２記載の使用。
【請求項１６】  神経中毒を治療するための、キセノンまたはキセノンガス混合物を含む製剤。
【請求項１７】  キセノンおよび酸素含有ガスを含む請求項１６記載の製剤。
【請求項１８】  キセノンをヒトに無害の他のガスと混合することによる、吸入可能な製剤の製造方法。
【請求項１９】  キセノンを酸素含有ガスと混合する請求項１８記載の方法。
【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  炭化水素油と0.01-3％の脂肪酸を含む、蝋燭本体としての使用に好適なゲル化炭化水素組成物であって、20,000〜82,000のＭｗ又はＭｎを有する低分子量のトリブロックポリマー及び82,000〜150,000のＭｗ又はＭｎを有する中間分子量のトリブロックポリマーでゲル化されているゲル化炭化水素組成物。
【請求項２】  脂肪酸が、下記式Ｉ又は式IIの化合物である請求項１記載のゲル化炭化水素組成物。
ＨＯ−(ＣＨ2)u−ＣＯＯＨ                                (Ｉ)
ＣＨ3−(ＣＨ2)p−ＣＨ（ＯＨ）−(ＣＨ2)q−ＣＯＯＨ      (II)
式中、ｕは８〜24であり、
ｐは０〜16、かつ
ｑは８〜24である、
【請求項３】  さらに
ｉ）７wt％までの量の芳香剤、
ii）１wt％までの量の着色剤、及び
iii）１wt％までの量の抗酸化剤
を含有する、請求項１又は２記載のゲル化炭化水素組成物。
【請求項４】
ｉ）蝋燭本体、及び
ii）前記蝋燭本体内に配置されている芯
を含有する蝋燭であって、前記本体が、請求項１〜３のいずれか１項に記載のゲル化炭化水素組成物を含有する蝋燭。
【請求項５】  さらに、芳香剤、悪臭中和作用剤、殺虫剤、農薬、昆虫忌避薬、着色剤、抗酸化剤、保存剤、抗摂食剤、安定剤、脱臭剤及び隠蔽剤から選択される１種以上の成分を含有する請求項４記載の蝋燭。
【請求項６】  請求項１〜３のいずれか１項に記載のゲル化炭化水素組成物の調製方法であって、
ｉ）前記炭化水素油を、高温で粉末状のトリブロックコポリマーと混合する工程、及び
ii）上記混合物の温度を下げ、混合しながら、上記混合物に、脂肪酸を添加する工程
を包含する方法。
【手続補正２】
【補正対象書類名】明細書
【補正対象項目名】００１３
【補正方法】変更
【補正の内容】
【００１３】
ゲル化組成物の流れに対する抵抗は、少量（例えば0.01〜１％）の脂肪酸モノマー、例えば、下記式Ｉ又は式IIの化合物の添加によってさらに改良することができる。
ＨＯ−(ＣＨ2)u−ＣＯＯＨ                              (Ｉ)
ＣＨ3−(ＣＨ2)p−ＣＨ（ＯＨ）−(ＣＨ2)q−ＣＯＯＨ      (II)
式中、ｕは８〜24であり、
ｐは０〜16、好ましくは１〜８、さらに好ましくは３〜５であり、かつ
ｑは８〜24、好ましくは８〜16、さらに好ましくは８〜10である。
望ましくはｐ及びｑは８〜24、好ましくは12〜20、さらに好ましくは14〜18である。
【手続補正書】
【提出日】平成19年2月8日(2007.2.8)
【手続補正１】
【補正対象書類名】明細書
【補正対象項目名】特許請求の範囲
【補正方法】変更
【補正の内容】
【特許請求の範囲】
【請求項１】  水またはアルコールで湿潤された塗料原料が孔を有するダイを通してプレスされることを特徴とする圧縮された流動性の良いニトロセルロース系塗料原料の製造方法。
【請求項２】  請求項１の方法によって製造される圧縮された流動性の良いニトロセルロース系塗料原料。
【手続補正２】
【補正対象書類名】明細書
【補正対象項目名】００１９
【補正方法】変更
【補正の内容】
【００１９】
【表１】
2002538234.tif 000001
本発明の好適な実施の態様は次のとおりである。
１．  水またはアルコールで湿潤された塗料原料が孔を有するダイを通してプレスされることを特徴とする圧縮された流動性の良いニトロセルロース系塗料原料の製造方法。
２．  プレス比Ｐが、
Ｐ＝孔の長さ／孔の径＝０．５〜５．０
好ましくは０．５〜３．０の範囲にあることを特徴とする上記１に記載の方法。
３．  塗料原料が１またはそれ以上の回転式ブレイカーによってダイの孔を通してプレスされることを特徴とする上記１または２のいずれかに記載の方法。
４．  塗料原料が１またはそれ以上の振動式（ｏｓｃｉｌｌａｔｉｎｇ）ホイールによってダイの孔を通してプレスされることを特徴とする上記１または２のいずれかに記載の方法。
５．  圧縮された塗料原料がダイの下で所望の長さの小片に切断されることを特徴とする上記１〜４のいずれか１つに記載の方法。
６．  水またはアルコールで湿潤され塗料原料として使用されるニトロセルロースが１２．６％以下の窒素含有量を有することを特徴とする微粒子状の塗料原料の製造方法。
７．  上記１〜６のいずれか１つの方法によって製造される圧縮された流動性の良いニトロセルロース系塗料原料。